(57)【要約】【課題】振動モータのブラシが開示される。【解決手段】整流子と接する接触部を具備する多数個のアームと、アームの間に形成されるスリット部と、アームのスタート部と結合するリード部と、リード部から延長されるし、貫通ホールを具備する固定部を含む、ブラシは貫通ホールを介して流入される鉛により固定されるのでブラシとフレキシブル基板との接着力を強化することができる。【選択図】図３
2007082395.tif 000002
【特許請求の範囲】
【請求項１】
扁平型整流子と接して電流を供給するブラシにおいて、
前記扁平型整流子と実質的に同一平面上で接する複数個のアームと、
電流源と電気的に連結されて前記アームに電流を供給すると同時にブラシを固定支持するための支持部を含み、
前記支持部ははんだが流入され得るように所定の大きさの貫通ホールを具備することを特徴とするブラシ。
【請求項２】
前記ブラシは、前記アームの間に形成されたスリット部を具備し、
前記支持部は前記アームより延長されるリード部及び前記リード部より延長される固定部を含み、
前記固定部は前記貫通ホールを具備する請求項１に記載のブラシ。
【請求項３】
前記リード部は、長さ方向に形成されるスロットを有する請求項２に記載のブラシ。
【請求項４】
前記アームは前記リード部から垂直方向に折れ曲がる請求項２または３に記載のブラシ。
【請求項５】
前記リード部は前記固定部から垂直方向に折れ曲がる請求項２または３に記載のブラシ。
【発明の詳細な説明】
【技術分野】
【０００１】
本発明は振動モータのブラシに関する。
【背景技術】
【０００２】
偏心ロータを用いる振動モータは、最近携帯用電話機またはＰＤＡなどのような携帯用端末機の着信手段として広く使用されているが、端末機の小型化により振動モータの小型化及び薄型化が要求されている。
【０００３】
図１は、従来の振動モータの構造を示す断面図である。従来の振動モータには底部にブラケット１が具備され、ブラケット１の中央には軸９の一端が挿入され固定されるし、軸の他端はケース８により固定される。ケース８は振動モータの部品を外部の干渉から保護する役目をする。ブラケット１の上面には微細な厚さを有するフレキシブル基板１２が配置される。
【０００４】
中央のフレキシブル基板１２の外周縁には周縁部にＮ、Ｓ極が交互に着磁される多極のマグネット２が附着され、マグネット２の貫通された中央の空間部にはフレキシブル基板１２に下端が附着された一対のブラシ３（ｂｒｕｓｈ）が所定の角度で具備される。そして軸９の所定の位置にはベアリング１１が挿入され、ベアリング１１の外周面には偏心ロータ１０が挿入される。ロータ１０の下面にはブラシ３と接触する扁平型整流子７が配列されている。
【０００５】
図２は、従来の振動モータに使用されるブラシ３の斜視図である。図２に示されているように、従来のブラシ３は、整流子７と接するアーム１５と、上記アーム１５の間に形成されるスリット部１７と、上記アーム１５より延長されるリード部１９及び上記リード部１９より延長される固定部２１を含む。
【０００６】
上記アーム１５は、図１に示されているように、一端部が円弧形状に折れ曲がって上記整流子７と接触する。アーム１５はアームそのものの弾性力とリード部１９及び固定部２１の弾性力により整流子７との接触状態を維持する。もし、アーム１５と整流子の接触状態が解除されると振動モータとしての機能を喪失する。上記固定部２１は、図１に示されているように、上記フレキシブル基板１２上にはんだ付けなどにより固定される。固定方法としては、ソルダークリーム（solder cream） 上に固定部が安着され、ジグ（jig）に加圧した状態で熱風を流してはんだ付けをする。
【０００７】
しかし、従来のブラシ３は、回転するロータ６により疲労荷重を受けるのでブラシ３がフレキシブル基板１２から取れる問題点が発生する。特に、上記固定部２１にはロータ６の回転により応力が集中されるので、上記固定部２１を支持するはんだ付けの取れる現象がよく発生する。また、従来のブラシ３は弾性力が不足であってロータ６の回転によるブラシ自体の変形を幅広く収容することができない問題点がある。また、ブラシ３の重み中心が高いので安全性が落ちる。
【発明の開示】
【発明が解決しようとする課題】
【０００８】
本発明は基板との接着力を強化することができるブラシを提供する。
【０００９】
本発明はブラシの弾性力を増加させて荷重に柔軟に対応できるブラシを提供する。
【００１０】
本発明はブラシの重み中心を低く形成してより安定感のあるブラシを提供する。
【発明の効果】
【００１１】
本発明は、基板との接着力を強化してより安定的であり、ブラシの弾性力を増加させて荷重に対して柔軟に対応することができるブラシを提供する。
【００１２】
本発明はブラシの重み中心を低く形成してより安定感のあるブラシを提供する。
【発明を実施するための最良の形態】
【００１３】
本発明の一実施形態によるブラシは、扁平型整流子と接して電流を供給する。そしてブラシは、上記扁平型整流子と実質的に同一平面上で接する複数個のアームと、電流源と電気的に連結されて上記アームに電流を供給すると同時にブラシを固定支持するための支持部を含む。また、上記支持部ははんだが流入され得るように所定の大きさの貫通ホールを具備することを特徴とする。
【００１４】
本発明の一実施形態によるブラシは下記のような特徴をさらに有することができる。例えば、上記ブラシは上記アームの間に形成されるスリット部を具備し、上記支持部は上記アームより延長されるリード部及び上記リード部より延長される固定部を含み、上記固定部は上記貫通ホールを具備することができる。
【００１５】
上記リード部は、長さ方向に形成されたスロットを具備することができる。上記アームは上記リード部から垂直方向に折れ曲がることができる。上記リード部は上記固定部から垂直方向に折れ曲がることができる。
【００１６】
以下で、添付された図面を参照しながら本発明の好ましい実施例に対してより具体的に説明する。
【００１７】
先ず、本発明の一実施例によるブラシに対して図３ないし図５を参照しながら説明する。
【００１８】
本発明の一実施例によるブラシ３０は、整流子と接するアーム３１と、上記アーム３１の間に形成されるスリット部３３と、上記アーム３１より延長されるリード部３５及び固定部３７を具備する。そして上記リード部３５及び上記固定部３７は電流源（図示せず）と電気的に連結されて上記アームに電流を供給すると同時にブラシを固定支持する支持部を形成する。上記ブラシ３０はＭＸ２１５などのように電気及び機械的性質が優れた材料より形成される。
【００１９】
上記アーム３１は、上記スリット部３３により離隔される２個のセグメント（segment）３１ａと３１ｂで構成されるし、それぞれのセグメント３１ａと３１ｂは同一な形状を有する。上記アーム３１は、図５のように、一部分が円弧形状に折れ曲がった接触部３１ｃを具備し、上記接触部３１ｃが整流子（図示せず）と接することになる。上記アーム３１は上記リード部３５により弾性的に支持される。また、上記アーム３１の長さが長いほどアームの柔軟性（ｆｌｅｘｉｂｉｌｉｔｙ）が増加して外部の荷重に柔軟に対応することができる。上記セグメント３１ａと３１ｂは内側方向に所定の角度で折れ曲がっている。
【００２０】
上記スリット部３３は、上記アーム３１の間に形成されてアーム３１をそれぞれのセグメント３１ａと３１ｂに分離する。上記スリット部３３が形成されることによりセグメント３１ａと３１ｂの独立性がより増加することになる。したがって上記スリット部３３の長さが長いほどそれぞれのセグメント３１ａと３１ｂが独立的に作動することができるので、一つのセグメントが整流子と接触しなくても他のセグメントが接触することになる。
【００２１】
本実施例では、外側のセグメント３１ａの長さが長い。すなわち、上記アームは円弧形状に折れ曲がっているので外側のセグメント３１ａの長さが内側のセグメント３１ｂの長さより長くなる。したがって、それぞれのセグメント３１ａおよび３１ｂの自体の弾性力が変わるが、これは整流子に対する接触圧力の差を表す。従って、セグメント３１a及び３１ｂと整流子との接触圧力をそれぞれ同一にするためにはより大きい長さを有する外側セグメント３１ａの幅をより大きくすることが好ましい。
【００２２】
上記リード部３５は上記アーム３１と上記固定部３７を連結する。上記リード部３５は、長さ方向に形成されたスロット３６を具備するが、上記スロット３６はブラシ３０の弾性力を大きくするし、外力による変形に対して幅広く対応することができるようにする。上記リード部３５と上記アーム３１は、図３ないし図４に示されているように、略垂直方向に折れ曲がるが、これはブラシ３０の重み中心を低く形成することにより安全性を増加させるためである。
【００２３】
上記固定部３７は上記リード部３５より延長されて基板などにはんだ付けされ固定される。上記固定部３７には貫通ホール３８が形成されている。上記貫通ホール３８にははんだ付け過程での鉛が流入され、図６のように、上記固定部３７上に鉛が位置することになる。従って、上記貫通ホール３８に流入されて、固定部３７上で鉛Ｌが固定部３７を押さえるので上記固定部３７と基板Ｐがより堅固に結合される。上記リード部３５は上記固定部３７からほとんど垂直方向に折れ曲がっているが、これはブラシの重み中心を低くして安全性を確保するためである。
【００２４】
本発明の技術思想が上記した実施例によって具体的に記述されたが、上記した実施例はその説明のためのことであってその制限のためではないし、本発明の技術分野の通常の専門家であれば本発明の技術思想の範囲内で多様な実施例が可能であることは理解できるだろう。
【図面の簡単な説明】
【００２５】
【図１】従来の振動モータの断面図である。
【図２】従来の振動モータに使用されるブラシの斜視図である。
【図３】本発明の一実施例によるブラシの斜視図である。
【図４】本発明の一実施例によるブラシの平面図である。
【図５】本発明の一実施例によるブラシの側面図である。
【図６】固定部と基板がはんだ付けにより固定された状態を示す断面図である。
【符号の説明】
【００２６】
３０:ブラシ       
３１:アーム
３１ａ:セグメント        ３１ｂ:セグメント
３１ｃ:接触部
３３:スリット部        
３５:リード部
３６:スロット        
３７:固定部
３８:貫通ホール
【図１】
2007082395.tif 000003
【図２】
2007082395.tif 000004
【図３】
2007082395.tif 000005
【図４】
2007082395.tif 000006
【図５】
2007082395.tif 000007
【図６】
2007082395.tif 000008